(57)【要約】【課題】カフスのボタン穴から抜け落ちる心配が無くなり、構造が簡易で製作が容易であり、カフスのボタン穴への着脱操作も簡便であるカフスボタンを提供する。【解決手段】柔軟性材料によって薄板状に形成され、ボタン本体１０の外形とほぼ同程度の大きさの外形を有し、中央部に支持桿１２の最大径部分の横断面より小さくかつ留め桿１４が支持桿に対し閉じられた状態で材料の持つ柔軟性により支持桿に挿通可能である挿着孔１８が形成された脱落防止具１６を備える。カフスボタンがカフスに装着されたときにカフスの一方の布材がボタン本体１０と脱落防止具１６との間に介挿される。【選択図】図１
0003131399.tif 000002
【実用新案登録請求の範囲】
【請求項１】
ボタン本体の裏面中央に支持桿を固着し、前記支持桿の先端部に開閉自在に留め桿が軸着されたカフスボタンにおいて、
柔軟性材料によって薄板状に形成され、前記ボタン本体の外形とほぼ同程度の大きさの外形を有し、中央部に、前記支持桿の最大径部分の横断面より小さくかつ前記留め桿が支持桿に対し閉じられた状態において材料の持つ柔軟性により支持桿に挿通可能である挿着孔が形成された脱落防止具を備え、
カフスに装着されたときにカフスの一方の布材が前記ボタン本体と前記脱落防止具との間に介挿されることを特徴とするカフスボタン。
【請求項２】
ボタン本体の裏面中央に支持桿を固着し、前記支持桿の先端部に開閉自在に留め桿が軸着されたカフスボタンにおいて、
可撓性材料によってヘアピン状に形成され、二股に分かれた少なくとも一方の線状もしくは棒状部分の中間を山形に湾曲させ、その湾曲部と他方の線状もしくは棒状部分との最大間隔が、前記支持桿の直径寸法より小さくされ、一方の線状もしくは棒状部分の湾曲部と他方の線状もしくは棒状部分とで前記支持桿を挟持する脱落防止具を備え、
カフスに装着されたときにカフスの一方の布材が前記ボタン本体と前記脱落防止具との間に介挿されることを特徴とするカフスボタン。
【請求項３】
ボタン本体の裏面中央に支持桿を固着し、前記支持桿の先端部に開閉自在に留め桿が軸着されたカフスボタンにおいて、
前記支持桿の、前記ボタン本体との連接部分付近に、支持桿の軸線方向と直交する貫通孔を形成し、
可撓性材料によってヘアピン状に形成され、二股に分かれた一方の線状もしくは棒状部分の中間を山形に湾曲させ、他方の線状もしくは棒状部分が前記支持桿の貫通孔に挿通されて前記一方の線状もしくは棒状部分の湾曲部で支持桿に係合する脱落防止具を備え、
カフスに装着されたときにカフスの一方の布材が前記ボタン本体と前記脱落防止具との間に介挿されることを特徴とするカフスボタン。
【請求項４】
前記脱落防止具が針金で形成された請求項２または請求項３に記載のカフスボタン。
【考案の詳細な説明】
【技術分野】
【０００１】
この考案は、ワイシャツ等のカフスに装着されるカフスボタン、特に、カフスから脱落するのを防止する脱落防止具を備えたカフスに関する。
【背景技術】
【０００２】
カフスボタンは、表面が加飾されたボタン本体の裏面中央に固着された支持桿をワイシャツ等のカフスのボタン穴に挿通した後に、支持桿の先端部に回動自在に軸着された留め桿を支持桿に対し開いて（支持桿と直交する位置へ回動させて）カフス面に引っ掛けることにより、カフスに装着される。ところが、留め桿が何かのはずみで支持桿に対し閉じたり（支持桿と一直線上の位置へ回動したり）、支持桿をカフスのボタン穴に挿通した後に留め桿をカフス面に掛け忘れたりして、カフスボタンがカフスのボタン穴から抜け落ちる、といったことが起こる可能性がある。カフスボタンは、その一方だけを紛失しても、全く価値が無くなってしまう。
【０００３】
そこで、従来、ボタン本体に、他端に抜け止めリングを有する連結用バンドもしくはチェーンの一端を固着したカフスボタンが考案されている。このカフスボタンは、留め桿を閉じた状態で支持桿および留め桿をカフスのボタン穴に挿通した後、連結用バンドもしくはチェーンをカフスの合わせ側端辺の外側に廻してから、抜け止めリングを留め桿および支持桿に嵌挿し、その後に留め桿を開くことにより、カフスのボタン穴に装着される。この装着状態では、抜け止めリングが留め桿と係合することにより、支持桿および留め桿がカフスのボタン穴から抜け出ることが防止される（例えば、特許文献１参照。）。また、ボタン本体に一端が固着された連結用チェーンの他端に、留め桿に着脱自在に係止される着脱手段を取り付けたカフスボタンも考案されている（例えば、特許文献２参照。）。
【特許文献１】特開平１１−３４６８０８号公報（第３頁、図１−図８）
【特許文献２】特開２０００−２１０１０５号公報（第２−３頁、図１−図６）
【考案の開示】
【考案が解決しようとする課題】
【０００４】
上記したような構成を有するカフスボタンは、カフスのボタン穴から抜け落ちることが防止されるが、その構造が複雑となり、ボタン本体に連結用バンドやチェーンを確実に固着する必要があるなど、その製作が面倒であり、また、カフスのボタン穴に装着したり取り外したりする操作も厄介である。
【０００５】
この考案は、以上のような事情に鑑みてなされたものであり、カフスのボタン穴から抜け落ちる心配が無くなり、構造が簡易で、製作が容易であり、カフスのボタン穴に装着したり取り外したりする操作も簡便であるカフスボタンを提供することを目的とする。
【課題を解決するための手段】
【０００６】
請求項１に係る考案は、ボタン本体の裏面中央に支持桿を固着し、前記支持桿の先端部に開閉自在に留め桿が軸着されたカフスボタンにおいて、柔軟性材料によって薄板状に形成され、前記ボタン本体の外形とほぼ同程度の大きさの外形を有し、中央部に、前記支持桿の最大径部分の横断面より小さくかつ前記留め桿が支持桿に対し閉じられた状態において材料の持つ柔軟性により支持桿に挿通可能である挿着孔が形成された脱落防止具を備え、カフスに装着されたときにカフスの一方の布材が前記ボタン本体と前記脱落防止具との間に介挿されることを特徴とする。
【０００７】
請求項２に係る考案は、ボタン本体の裏面中央に支持桿を固着し、前記支持桿の先端部に開閉自在に留め桿が軸着されたカフスボタンにおいて、可撓性材料によってヘアピン状に形成され、二股に分かれた少なくとも一方の線状もしくは棒状部分の中間を山形に湾曲させ、その湾曲部と他方の線状もしくは棒状部分との最大間隔が、前記支持桿の直径寸法より小さくされ、一方の線状もしくは棒状部分の湾曲部と他方の線状もしくは棒状部分とで前記支持桿を挟持する脱落防止具を備え、カフスに装着されたときにカフスの一方の布材が前記ボタン本体と前記脱落防止具との間に介挿されることを特徴とする。
【０００８】
請求項３に係る考案は、ボタン本体の裏面中央に支持桿を固着し、前記支持桿の先端部に開閉自在に留め桿が軸着されたカフスボタンにおいて、前記支持桿の、前記ボタン本体との連接部分付近に、支持桿の軸線方向と直交する貫通孔を形成し、可撓性材料によってヘアピン状に形成され、二股に分かれた一方の線状もしくは棒状部分の中間を山形に湾曲させ、他方の線状もしくは棒状部分が前記支持桿の貫通孔に挿通されて前記一方の線状もしくは棒状部分の湾曲部で支持桿に係合する脱落防止具を備え、カフスに装着されたときにカフスの一方の布材が前記ボタン本体と前記脱落防止具との間に介挿されることを特徴とする。
【０００９】
請求項４に係る考案は、請求項２または請求項３に記載のカフスボタンにおいて、脱落防止具を針金で形成したことを特徴とする。
【考案の効果】
【００１０】
請求項１に係る考案のカフスボタンは、留め桿を支持桿に対し閉じた状態にして支持桿および留め桿をカフスの一方のボタン穴に挿通させた後、脱落防止具の装着孔を留め桿および支持桿に挿通させてから、支持桿および留め桿をカフスの他方のボタン穴に挿通させ、その後に留め桿を支持桿に対し開くことにより、ワイシャツ等のカフスに装着される。このとき、脱落防止具は、柔軟性材料で形成されているので、その装着孔を支持桿に挿通することが可能である。また、脱落防止具は、その挿着孔が支持桿の最大径部分の横断面より小さくなっているので、支持桿に一旦嵌着されると支持桿から簡単に抜脱することがない。そして、カフスの一方の布材を挟んでボタン本体の反対側に脱落防止具が固持されるので、仮に、留め桿が何かのはずみで支持桿に対し閉じたり支持桿をカフスのボタン穴に挿通した後に留め桿をカフス面に掛け忘れたりして、カフスの他方の布材のボタン穴から留め桿および支持桿が抜け出たとしても、カフスボタンがカフスから抜け落ちる心配が無い。また、このカフスボタンは、構造が簡易で、製作が容易であり、カフスのボタン穴に装着したり取り外したりする操作も簡便である。さらに、脱落防止具は、カフスボタンをカフスに装着したときにカフスに隠されて人目に触れないので、外観を損なうこともない。
【００１１】
請求項２に係る考案のカフスボタンは、ボタン本体、支持桿および留め桿を一般的なカフスボタンと同様にしてワイシャツ等のカフスに装着した後、支持桿の、カフスの突き合わされた両布材間の部位に横方向から脱落防止具を挿し入れるようにして使用される。このとき、脱落防止具は、可撓性材料で形成されているので、少し力を入れて支持桿に対し押し込むと、二股に分かれた両方の線状もしくは棒状部分が互いに拡開しその後に閉塞することにより、一方の線状もしくは棒状部分の湾曲部と他方の線状もしくは棒状部分とで支持桿が挟持される。また、脱落防止具は、二股に分かれた一方の線状もしくは棒状部分の湾曲部と他方の線状もしくは棒状部分との最大間隔が支持桿の直径寸法より小さくされているので、支持桿に一旦嵌着されると支持桿から簡単に抜脱することがない。そして、カフスの一方の布材を挟んでボタン本体の反対側に脱落防止具が固持されるので、仮に、留め桿が何かのはずみで支持桿に対し閉じたり支持桿をカフスのボタン穴に挿通した後に留め桿をカフス面に掛け忘れたりして、カフスの他方の布材のボタン穴から留め桿および支持桿が抜け出たとしても、カフスボタンがカフスから抜け落ちる心配が無い。また、このカフスボタンは、構造が簡易で、製作が容易であり、カフスのボタン穴に装着したり取り外したりする操作も、一般的なカフスボタンにおける着脱操作に支持桿に対する脱落防止具の着脱操作が加わるだけであり、非常に簡便である。さらに、脱落防止具は、カフスボタンをカフスに装着したときにカフスに隠されて人目に触れないので、外観を損なうこともない。
【００１２】
請求項３に係る考案のカフスボタンにおいては、ボタン本体、支持桿および留め桿を一般的なカフスボタンと同様にしてワイシャツ等のカフスに装着した後、支持桿の貫通孔に脱落防止具の二股に分かれた他方の線状もしくは棒状部分を挿通しつつ、支持桿の、カフスの突き合わされた両布材間の部位に横方向から脱落防止具を挿し入れるようにして使用される。このとき、脱落防止具は、可撓性材料で形成されているので、少し力を入れて支持桿に対し押し込むと、二股に分かれた両方の線状もしくは棒状部分が互いに拡開しその後に閉塞することにより、一方の線状もしくは棒状部分の湾曲部が支持桿に係合し、支持桿に一旦嵌着されると支持桿から簡単に抜脱することがない。そして、カフスの一方の布材を挟んでボタン本体の反対側に脱落防止具が固持されるので、仮に、留め桿が何かのはずみで支持桿に対し閉じたり支持桿をカフスのボタン穴に挿通した後に留め桿をカフス面に掛け忘れたりして、カフスの他方の布材のボタン穴から留め桿および支持桿が抜け出たとしても、カフスボタンがカフスから抜け落ちる心配が無い。また、このカフスボタンは、構造が簡易で、製作が容易であり、カフスのボタン穴に装着したり取り外したりする操作も、一般的なカフスボタンにおける着脱操作に支持桿に対する脱落防止具の着脱操作が加わるだけであり、非常に簡便である。
【００１３】
請求項４に係る考案のカフスボタンでは、脱落防止具を簡易にかつ安価に製作することができる。
【考案を実施するための最良の形態】
【００１４】
以下、この考案の最良の実施形態について図面を参照しながら説明する。
図１および図２は、この考案の実施形態の１例を示し、図１は、カフスボタンの斜視図であり、図２は、その構成要素である脱落防止具の平面図である。
【００１５】
このカフスボタンは、一般的なカフスボタンと同様に、表面が加飾されたボタン本体１０の裏面中央に支持桿１２を垂設して固着し、支持桿１２の先端部に留め桿１４を軸着して、留め桿１４が、図１に示すように支持桿１２に対し開いて支持桿１２と直交する係止位置と支持桿１２に対し閉じて支持桿１２と一直線上になる非係止位置との間で回動する、といった基本構成を有する。そして、このカフスボタンは、軟質塩化ビニル樹脂等の柔軟性材料によって薄板状に形成された円形の脱落防止具１６を具備している。
【００１６】
脱落防止具１６は、ボタン本体１０の平面形状とほぼ同程度の大きさの平面形状を有し、その中央部に装着孔１８が形成されている。装着孔１８の大きさは、支持桿１２の最大径部分の横断面より小さく、かつ、留め桿１４が支持桿１２に対し閉じられた状態において材料の持つ柔軟性により支持桿１２に挿通させることが可能な程度であり、脱落防止具１６は、図１中に二点鎖線で示すように、支持桿１２に挿通されてボタン本体１０との連接部分付近に嵌着される。そして、支持桿１２に嵌着された脱落防止具１６は、その挿着孔１８が支持桿１２の最大径部分の横断面より小さくなっているので、支持桿１２に一旦嵌着されると支持桿１２から簡単に抜け出ることがない。
【００１７】
図１に示した構成を有するカフスボタンの使用方法を、部分的に断面で表した図３を参照しながら説明する。まず、留め桿１４を支持桿１２に対し閉じた状態にして、支持桿１２および留め桿１４を、ワイシャツ等のカフスの突き合わされた一方の布材２０ａのボタン穴２２ａに挿通させる。次に、脱落防止具１６の装着孔１８を留め桿１４および支持桿１２に挿通させてから、支持桿１２および留め桿１４を、カフスの突き合わされた他方の布材２０ｂのボタン穴２２ｂに挿通させる。その後に、留め桿１４を支持桿１２に対し開くことにより、カフスボタンがカフスに装着される。図３に示したようにカフスボタンがカフスに装着された状態において、支持桿１２に嵌着された脱落防止具１６は、カフスの一方の布材２０ａを挟んでボタン本体１０の反対側に固持されるので、仮に、留め桿１４が何かのはずみで支持桿１２に対し閉じたり留め桿１４を閉じたままでカフス面に掛け忘れたりして、カフスの他方の布材２０ｂのボタン穴２２ｂから留め桿１４および支持桿１２が抜け出たとしても、カフスボタンがカフスから抜け落ちる心配は無い。また、脱落防止具１６は、カフスボタンをカフスに装着したときにカフスに隠されて人目に触れることがない。カフスボタンをカフスから取り外すときは、上記した操作と逆の操作を行うようにすればよい。
【００１８】
なお、脱落防止具１６の外形は、円形に限らず四角形等の多角形や楕円形などであってもよい。また、脱落防止具１６の素材は、柔軟性を有しておれば特に限定されない。さら、脱落防止具１６の厚み寸法は、挿着孔１８を支持桿１２および留め桿１４に挿通させることができる程度の柔軟性を示しかつ或る程度の形態保持性を有しておれば特に限定されない。
【００１９】
次に、図４および図５は、図１および図２に示したものとは異なる構成例を示し、図４は、カフスボタンの斜視図であり、図５は、その構成要素である脱落防止具の平面図である。
【００２０】
このカフスボタンの脱落防止具２４は、可撓性を有する針金をヘアピン状に折り曲げて形成されており、二股に分かれた一方の線状もしくは棒状部分２６（以下、「曲線ピン部分２６」という）の中間が山形に湾曲させられている。曲線ピン部分２６の湾曲部２８と他方の線状もしくは棒状部分３０（以下、「直線ピン部分３０」という）との最大間隔は、支持桿１２の直径寸法より小さくされており、曲線ピン部分２６の湾曲部２８と直線ピン部分３０とで支持桿１２を挟持するように構成されている。そして、支持桿１２に嵌着された脱落防止具２４は、その曲線ピン部分２６の湾曲部２８と直線ピン部分３０との最大間隔が支持桿１２の直径寸法より小さくなっているので、支持桿１２に一旦嵌着されると支持桿１２から簡単に抜け出ることがない。
【００２１】
図５に示した脱落防止具２４を具備したカフスボタンの使用方法を、部分的に断面で表した図６を参照しながら説明する。最初に、ボタン本体１０、支持桿１２および留め桿１４を一般的なカフスボタンと同様にしてワイシャツ等のカフスに装着しておく。この状態で、支持桿１２の、カフスの突き合わされた両布材２０ａ、２０ｂ間の部位に、脱落防止具２４を横方向から挿し入れる。このとき、脱落防止具２４は、可撓性を有する針金で形成されているので、少し力を入れて支持桿１２に対し押し込むと、曲線ピン部分２６と直線ピン部分３０との間隔が押し広げられ、曲線ピン部分２６の湾曲部２８の位置まで支持桿１２に挿し入れられたときに、針金の復元力によって両ピン部分２６、３０が弾発的に閉じる。この動作により、曲線ピン部分２６の湾曲部２８と直線ピン部分３０とで支持桿１２が挟持される。そして、図６に示したように、支持桿１２に嵌着された脱落防止具２４は、カフスの一方の布材２０ａを挟んでボタン本体１０の反対側に固持されるので、仮に、留め桿１４が何かのはずみで支持桿１２に対し閉じたり留め桿１４を閉じたままでカフス面に掛け忘れたりして、カフスの他方の布材２０ｂのボタン穴２２ｂから留め桿１４および支持桿１２が抜け出たとしても、カフスボタンがカフスから抜け落ちる心配は無い。また、脱落防止具２４は、カフスボタンをカフスに装着したときにカフスに隠されて人目に触れることがない。カフスボタンをカフスから取り外すときは、支持桿１２から脱落防止具２４を引き抜いてから、一般的なカフスボタンをカフスから外すときと同様の操作を行えばよい。
【００２２】
なお、図５に示した脱落防止具２４は、二股に分かれた一方の曲線ピン部分２６に湾曲部２８を形設し、他方の直線ピン部分３０は真っ直ぐのままにしているが、図７に平面図を示すように、脱落防止具３２の二股に分かれた両方の線状もしくは棒状部分３４ａ、３４ｂの中間をそれぞれ山形に湾曲させて、両湾曲部３６ａ、３６ｂ間の最大間隔を支持桿１２の直径寸法より小さくするような構成としてもよい。また、脱落防止具２４、３２の素材は、可撓性を有していて或る程度の強度を持つものであればよく、例えばプラスチック材料で成形されたものであってもよい。
【００２３】
次に、図８は、図４および図５に示したものとは異なる構成例を示すカフスボタンの斜視図である。
【００２４】
このカフスボタンは、ボタン本体３８の裏面中央に垂設して固着され先端部に留め桿４２が回動自在に軸着された支持桿４０の、ボタン本体３８との連接部分付近に、支持桿４０の軸線方向と直交する貫通孔４４が形成されている。また、このカフスボタンも、可撓性を有する針金をヘアピン状に折り曲げて形成された脱落防止具４６を具備している。脱落防止具４６を形成する針金の径は、支持桿４０に形成された貫通孔４４の内径寸法より僅かに小さくされる。この脱落防止具４６は、二股に分かれた一方の線状もしくは棒状部分４８（以下、「曲線ピン部分４８」という）の中間が山形に湾曲させられている。そして、脱落防止具４６は、他方の線状もしくは棒状部分５２（以下、「直線ピン部分５２」という）を支持桿４０の貫通孔４４に挿通して曲線ピン部分４８の湾曲部５０で支持桿４０に係合し、支持桿４０に一旦嵌着されると支持桿４０から簡単に抜け出ることがないように構成されている。
【００２５】
図８に示した構成を有するカフスボタンを使用するときは、ボタン本体３８、支持桿４０および留め桿４２を一般的なカフスボタンと同様にしてワイシャツ等のカフスに装着しておいてから、支持桿４０の貫通孔４４に脱落防止具４６の直線ピン部分５２を挿通しつつ、支持桿４０の、カフスの突き合わされた両布材間の部位に横方向から脱落防止具４６を挿し入れる。このとき、脱落防止具４６は、可撓性を有する針金で形成されているので、少し力を入れて支持桿４０に対し押し込むと、曲線ピン部分４８と直線ピン部分５２との間隔が押し広げられ、曲線ピン部分４８の湾曲部５０の位置まで支持桿４０に挿し入れられたときに、針金の復元力によって両ピン部分４８、５２が弾発的に閉じる。この動作により、脱落防止具４６が曲線ピン部分４８の湾曲部５０で支持桿４０に係合する。そして、図６に示したものと同様に、支持桿４０に嵌着された脱落防止具４６は、カフスの一方の布材を挟んでボタン本体３８の反対側に固持されるので、仮にカフスの他方の布材のボタン穴から留め桿４２および支持桿４０が抜け出たとしても、カフスボタンがカフスから抜け落ちる心配は無い。また、脱落防止具４６は、カフスボタンをカフスに装着したときにカフスに隠されて人目に触れることがない。カフスボタンをカフスから取り外すときは、支持桿４０から脱落防止具４６を引き抜いてから、一般的なカフスボタンをカフスから外すときと同様の操作を行うようにする。
【００２６】
なお、脱落防止具４６の素材は、可撓性を有していて或る程度の強度を持つものであればよく、例えばプラスチック材料で成形されたものであってもよい。
【図面の簡単な説明】
【００２７】
【図１】この考案の実施形態の１例を示すカフスボタンの斜視図である。
【図２】図１に示したカフスボタンの構成要素である脱落防止具の平面図である。
【図３】図１に示したカフスボタンの使用方法を説明するための図であって、部分的に断面で表した側面図である。
【図４】図１および図２に示したものとは異なる構成例を示すカフスボタンの斜視図である。
【図５】図４に示したカフスボタンの構成要素である脱落防止具の平面図である。
【図６】図４に示したカフスボタンの使用方法を説明するための図であって、部分的に断面で表した側面図である。
【図７】図４に示したカフスボタンの変形例を示す脱落防止具の平面図である。
【図８】図４および図５に示したものとは異なる構成例を示すカフスボタンの斜視図である。
【符号の説明】
【００２８】
１０、３８  ボタン本体
１２、４０  支持桿
１４、４２  留め桿
１６、２４、３２、４６  脱落防止具
１８  脱落防止具の装着孔
２０ａ、２０ｂ  カフスの布材
２２ａ、２２ｂ  カフスのボタン穴
２６、４８  曲線ピン部分
２８、５０  曲線ピン部分の湾曲部
３０、５２  直線ピン部分
３４ａ、３４ｂ  脱落防止具の線状もしくは棒状部分
３６ａ、３６ｂ  線状もしくは棒状部分の湾曲部
４４  支持桿の貫通孔
【図１】
0003131399.tif 000003
【図２】
0003131399.tif 000004
【図３】
0003131399.tif 000005
【図４】
0003131399.tif 000006
【図５】
0003131399.tif 000007
【図６】
0003131399.tif 000008
【図７】
0003131399.tif 000009
【図８】
0003131399.tif 000010